(57)【特許請求の範囲】
【請求項１】
チャート板に複数配置された動体視力検査用の視標を、選択的に光路上に配置することにより、動体視力を測定することの出来る動体視力検査装置において、
前記動体視力検査用の視標が提示される視野位置に、被検者に対して前記動体視力検査用の視標が提示される位置を予め示しておくための測定前提示視標を提示する測定前提示視標提示手段、
前記測定前提示視標が提示された後に、該測定前提示視標が提示された前記視野位置に、当該測定前提示視標に代えて、前記動体視力検査用の視標を提示する、動体視力検査用視標提示手段、
前記動体視力検査用視標提示手段により提示された前記動体視力検査用視標を用いて、被検者の動体視力の検査を行う、動体視力検査実行手段、
を有する、動体視力検査装置。
【請求項２】
前記測定前提示視標は、前記チャート板に配置された、具体的な図形からなる図形視標であり、
前記測定前提示視標提示手段は、前記チャート板を駆動して前記図形視標を前記光路上に配置することにより、前記動体視力検査用の視標が提示される視野位置に前記図形視標を提示するチャート板駆動手段を有する、
請求項１記載の動体視力検査装置。
【請求項３】
前記測定前提示視標は、前記チャート板に配置された何も描かれていない空白視標であり、
前記測定前提示視標提示手段は、前記チャート板を駆動して前記空白視標を前記光路上に配置することにより、前記動体視力検査用の視標が提示される視野位置に前記空白視標を提示するチャート板駆動手段を有する、
請求項１記載の動体視力検査装置。
【請求項４】
前記測定前提示視標は、動体視力検査用視標が提示される提示位置を囲む形で点滅自在に設けられた複数の視標ＬＥＤであり、
前記測定前提示視標提示手段は、前記複数の視標ＬＥＤを点灯又は点滅させることにより、前記動体視力検査用の視標が提示される視野位置に前記複数の視標ＬＥＤを提示する、視標ＬＥＤ駆動手段を有する、
請求項１記載の動体視力検査装置。
【発明の詳細な説明】
【技術分野】
【０００１】
本発明は、動体視力を測定する、動体視力検査装置に関する。
【背景技術】
【０００２】
従来、この種の動体視力検査装置としては、特許文献１に記載されたものが知られている。
【０００３】
【特許文献１】特開平１１−１３７５１９号公報
【発明の開示】
【発明が解決しようとする課題】
【０００４】
しかし、従来の動体視力検査装置では、検査の開始前は、被検者が覗いている空間は、何らの照明も点灯されておらず暗闇状態となっている。従って、被検者は検査にあたって視野のどの位置にチャートが表示されるか判らないために、視線が定まらない。
【０００５】
そうした状態で、チャートが移動を開始し、チャート光源が点灯して検査が開始されると、被検者はチャート光源が点灯した時点でチャート上の視標を探して、視標に対して視線を合わせ、自身の目のピントを合わせる必要があった。
【０００６】
そのため、チャート上の視標を発見して注視するまでの時間は、チャートが移動を開始して、検査装置は測定動作に入っているにもかかわらず、被検眼は測定に適した状態にはなっていなかった。このチャート上の視標を発見して注視するまでの時間は、動体視力とは無関係な要素であるにもかかわらず、反応時間として計測されてしまい、測定の誤差となっていた。特に、動体視力が良い被検者は、視標が出現してから応答するまでの時間が短いため、この誤差の割合が大きくなり、測定結果が悪くなってしまう不都合があった。
【０００７】
本発明は、上記した事情に鑑み、検査にあたって、被検者がチャート上の視標を発見して注視するまでの時間を、反応時間の測定から排除することの出来る、動体視力検査装置を提供することを目的とするものである。
【課題を解決するための手段】
【０００８】
請求項１の発明は、チャート板（２８）に複数配置された動体視力検査用の視標（２８ｃ）を、選択的に光路（１５）上に配置することにより、動体視力を測定することの出来る動体視力検査装置（５０）において、
前記動体視力検査用の視標が提示される視野位置に、被検者に対して前記動体視力検査用の視標が提示される位置を予め示しておくための測定前提示視標（５１、５１‘）を提示する測定前提示視標提示手段（２９，３１，３２、図５のステップＳ１０１，Ｓ１０２、Ｓ１０３など）、
前記測定前提示視標が提示された後に、該測定前提示視標が提示された前記視野位置に、当該測定前提示視標に代えて、前記動体視力検査用の視標（２８ｃ）を提示する、動体視力検査用視標提示手段（２９，３１，３２、図５のステップＳ１１，Ｓ１２など）、
前記動体視力検査用視標提示手段により提示された前記動体視力検査用視標を用いて、被検者の動体視力の検査を行う、動体視力検査実行手段（２７，３１，３４，図５のステップＳ１６，Ｓ１７，Ｓ１８、Ｓ１９など）、
を有して構成される。
【０００９】
請求項２の発明は、前記測定前提示視標は、前記チャート板（２８）に配置された、具体的な図形からなる図形視標（５１）であり、
前記測定前提示視標提示手段は、前記チャート板を駆動して前記図形視標を前記光路（１５）上に配置することにより、前記動体視力検査用の視標が提示される視野位置に前記図形視標を提示するチャート板駆動手段を有して構成される。
【００１０】
請求項３の発明は、前記測定前提示視標は、前記チャート板に配置された何も描かれていない空白視標（５１‘）であり、
前記測定前提示視標提示手段は、前記チャート板を駆動して前記空白視標を前記光路上に配置することにより、前記動体視力検査用の視標が提示される視野位置に前記空白視標を提示するチャート板駆動手段を有して構成される。
【００１１】
請求項４の発明は、前記測定前提示視標は、動体視力検査用視標が提示される提示位置（１６ａ）を囲む形で点滅自在に設けられた複数の視標ＬＥＤ（１６ｂ）であり、
前記測定前提示視標提示手段は、前記複数の視標ＬＥＤを点灯又は点滅させることにより、前記動体視力検査用の視標が提示される視野位置に前記複数の視標ＬＥＤを提示する、視標ＬＥＤ駆動手段（３１，図６のステップＳ１０９，Ｓ１１１など）を有して構成される。
【００１２】
なお、括弧内の番号等は、図面における対応する要素を示す便宜的なものであり、従って、本記述は図面上の記載に限定拘束されるものではない。
【発明の効果】
【００１３】
請求項１の発明によると、動体視力検査用視標２８ｃが提示される視野位置に、測定前提示視標が提示されるので、動体視力の測定に際して、前もって動体視力検査用の視標が提示される視野位置に、被検眼の視線を予めガイドしておくことが出来る。従って、被検者がチャート上の視標を発見して注視するまでの時間を、反応時間の測定から排除することが出来、信頼性の高い動体視力検査装置の提供が可能となる。
【００１４】
請求項２及び３の発明によると、測定前提示視標をチャート板（２８）に配置することにより、何らの部品を追加することなく、測定前提示視標を被検者に提示することが出来る。
【００１５】
請求項４の発明によると、視標ＬＥＤを点灯又は点滅させることにより、被検者の注意を強く動体視力検査用視標が提示される視野位置に引きつけることが出来、効果的である。
【発明を実施するための最良の形態】
【００１６】
以下、図面に基づき、本発明の実施例を説明する。
【００１７】
図１は、動体視力検査装置の一例を示す図で、（Ａ）は正面図、（Ｂ）は側面図、図２は、図１の動体視力検査装置の制御ブロック図、図３は、チャート板の一例を示す図、図４は、チャート板と穴明きカバーの一例を示す図、図５は、動体視力測定に際した制御例を示すフローチャート、図６は、動体視力測定に際した制御の別の例を示すフローチャートである。
【００１８】
図１（Ａ）、（Ｂ）には、本発明の１実施形態に係わる動体視力検査装置５０が図示されており、符号１で示すものは接眼部で、被検者がこの接眼部に目を当て視標を観察する。接眼部１の眼幅の調節は調節ノブ１ａにより調節することができる。動体視力検査装置５０の側面には、種々のスイッチ類を設けた操作パネルが設けられており、左上に設けられた選択眼スイッチ２ａ、２ｂ、２ｃは、視力検査時被検者の左眼、右眼、両眼をそれぞれ選択するためのスイッチである。
【００１９】
操作パネルには、動体視力測定時に押下される動体視力スイッチ５並びに、視標の方向の表示と視標の方向の選択時に押下される視標スイッチ６ａ〜６ｄが設けられている。また、操作パネルには、視力測定結果を表示する表示器７が設けられる。さらに、被検者が視標の方向を確認したときに押下される応答スイッチ８が設けられ、このスイッチは視力計の左側のコネクタに接続される。また、この応答スイッチと同機能を果すレバー４０ａを備えたジョイスティック４０が接続される。なお、符号９で示すものは視力の測定を自動的に行うときに操作されるオートモード選択スイッチであり、符号１０は電源スイッチである。
【００２０】
図２には、動体視力検査装置５０の制御部並びに光学系が詳細に図示されており、接眼部には保護ガラス２１、２１’が設けられ、その背後にアイリス２２、２２’が配置される。左眼２０の視力を検査すべく、選択眼スイッチ２ａを操作すると、インターフェース３０を介してＣＰＵ３１に選択信号が入力され、アクチュエータ３３によりアイリス２２が光路から除去され、また右眼２０’の視力、あるいは両眼の視力を検査するときは、選択眼スイッチ２ｂ、２ｃが操作され、それによりアイリス２２’あるいは両アイリス２２、２２’がそれぞれ光路１５から離脱される。
【００２１】
右眼の光路はミラー２３を介してハーフミラー２４に入り、左眼の光路と一緒になり、この統合された光路１５にレンズ２５、２６、可動プリズム２７、並びに種々の種類の視標を配置したチャート板２８が配置される。チャート板２８は、図３に示したように、円盤状の透明なチャート板でその周囲に切り欠きがそれぞれ９０度ずれて形成された公知の視標２８ｃが４個印刷されており、この視標が光源２９で背後から照明されるようになっている。チャート板２８は、視標スイッチ６ａ〜６ｄを押下することにより視標モータ３２を介して軸２８ａを中心に回転できるようになっており、たとえば、視標スイッチ６ａ（６ｂ、６ｃ、６ｄ）を操作すると、視標モータ３２が所定角度回転してそれぞれ上（右、下、左）に切り欠けを有するチャート板２８の視標２８ｃが光路に入るように制御される。
【００２２】
また、チャート板２８には、測定前提示視標５１が、視標２８ｃと同様に設けられており、測定前提示視標５１は、操作パネルに設けられた提示スイッチ３を押下することにより、視標モータ３２を介してチャート板２８が所定角度回転し、測定前提示視標５１が光路に入るように制御される。なお、測定前提示視標５１は、図３に示すように、二重丸などの任意の図形から構成しても、また、視標２８ｃと同じ大きさの切り欠けの形成されていないリング状の図形などから構成することも出来る。更には、何らの図形も記載されていない空白の部分（図３の四角い点線で示す部分）を測定前提示視標５１‘として利用することも出来る。この場合、提示スイッチ３を押下すると、何らの図形も記載されていない空白の部分が測定前提示視標５１’として、光路１５に入るように、チャート板２８が回転制御される。
【００２３】
動体視力スイッチ５を押下すると、プリズムモータ３４が駆動されてプリズム２７が所定の速度で移動される。その移動速度は、例えば、２０ｋｍ／ｈ〜６０ｋｍ／ｈの範囲で変化させることができる。プリズム２７がこの範囲内で選択された速度で移動すると、接眼部１と視標２８ｃ間の光学距離が変化し、接眼部で観察される視標２８ｃの大きさ（倍率）がその変化に応じて変化する。ＣＰＵ３１は、その変化中に視標が被検眼により正常に確認されたとき、エンコーダ４２から返されるプリズム２７の位置情報に基づき動体視力を検出することができる。応答スイッチ８ないしジョイスティック４０からの信号はインターフェース３０に入力され、被検者の応答をＣＰＵ３１に伝達する。
【００２４】
オートモード選択スイッチ９を操作すると、この信号がインターフェースを介してＣＰＵ３１に入力され、ＣＰＵ３１は視力の測定をメモリ３６に格納されたプログラムに従って自動的に開始する。
【００２５】
ＣＰＵ３１は、クロック３５により駆動され、メモリ３６には上記したプログラムのほかに視力検査に必要なプログラム、データなどが格納されている。視力検査の結果は表示器７に表示され、またプリンタ３７に出力される。自動的に視力検査を行なうときには、被検者をガイダンスする音声が音声発生部３８を介して出力される。
【００２６】
次に、図５のフローチャートを参照して視力を自動的に測定する流れを説明する。このプログラムは、メモリ３６に格納されており、ＣＰＵ３１の制御のもとに実行されるものである。
【００２７】
まず、ステップＳ１においてオートモード選択スイッチ９を押下すると、視力自動測定モードに入り、ステップＳ２において音声発生部３８から「見口から視標が楽に見えるように両側の調整ノブを回し、目の幅を調節し、手元のレバーを手前に倒して下さい。」との音声（１）のガイダンスが発生されるので、被検者はジョイスティック４０を確認してその音声指示に従う（ステップＳ３）。続いて、ステップＳ４で「これより静止視力の検査を行います。視標の輪の切れた方向にレバーを倒してください。」との音声（２）のガイダンスが音声発生部３８から出力されるとともに、ステップＳ５で視標モータ３２が、またステップＳ６でプリズムモータ３４が駆動され、チャート板２８が所定角度回転するとともに、プリズム２７が移動して視標２８ｃの輪の一つが光源２９に照明され、被検者は接眼部１を介して所定倍率の輪を観察し、ジョイスティックを確認して輪の切れた方向にレバー４０ａを倒す（ステップＳ７）。
【００２８】
ここで、被検者の答えが正解でないと判断された場合には、ステップＳ５に戻ってさらに視標モータ３２とプリズムモータ３４を駆動し、所定倍率の他の輪を選択して同じ処理を行う。正解であると判断された場合には、そのときのプリズム２７の位置できまる視標の大きさに対応した視力が演算される。こうして、被検者からの応答の結果（正解／不正解）よって、次に提示する視標２８ｃを決定し、ステップＳ８で視力値が確定するまでこれを繰り返す。次に、ステップＳ９において「静止視力の検査は終了しました」との音声（３）のガイダンスがなされる。このように、静止視力はプリズム２７を移動させ、接眼部と視標間の光学距離を所定距離に維持して行なわれる。
【００２９】
続いてステップＳ１０において、「動体視力の予備検査を２回行います。視標が遠方より手前に近づいてきます。輪の切れた方向がわかったら、素早く手前のレバーを切れた方向に倒してください。」との音声（４）のガイダンスが音声発生部３８から出力される。
【００３０】
次に、ステップＳ１０１に入り、ＣＰＵ３１により視標モータ３２が回転駆動され、ステップＳ１０２に示すように、チャート板２８上に配置された（描かれた）測定前提示視標５１を、光源２９により被検者に対して提示し得る位置に位置決めする。この状態で、ステップＳ１０３に入り、ＣＰＵ３１は光源２９を点滅または点灯させると、被検者には、図３の測定前提示視標５１の画像が、これから動体視力を測定する際に視標２８ｃが提示される視野位置（被検者の被検眼２０，２０‘が動体視力検査装置５０の保護ガラス２０，２０’を覗き込むことにより得られる視野内の所定位置）に提示される。被検者は、提示される測定前提示視標５１を注視することにより、その注意を測定前提示視標５１が提示された位置に向けることが出来る。
【００３１】
測定前提示視標５１は、図３に示す「二重丸」や「視標２８ｃと同じ大きさの切り欠けの形成されていないリング状の図形」のような具体的な図形視標５１でなくても、図中点線で示す何も描かれていない空白視標５１‘を光源２９で照明して被検者に呈するよう構成することも出来る。
【００３２】
続いて、ステップＳ１１において視標モータ３２が駆動されて、チャート板２８の、それまで提示されていた測定前提示視標５１又は５１‘に代えて動体視力検査用の一つの視標２８ｃを選択して光路１５上に配置し、またステップＳ１２において、プリズムモータ３４が駆動され、プリズム２７が移動される。この移動速度は、例えば２０ｋｍ／ｈ〜６０ｋｍ／ｈのうち所定の速度に選択され、またプリズム２７の移動は、視標２８ｃの倍率が大きくなる方向に行われる。ステップＳ１３で、被検者は接眼部１を介してだんだん大きくなる視標の輪を観察し、輪の切れた方向が判った段階でジョイスティック４０のレバー４０ａを倒す。ＣＰＵ３１は、インターフェース３０を介して取り込まれるこの情報からそのときのプリズムの位置に基づき動体視力を演算する。
【００３３】
この際、被検者がそれまで注視し、測定前提示視標５１又は５１‘が提示されていた位置に、本来の動体視力検査用の視標２８ｃが提示されるので、被検者は何ら視線を動かすことなく直ちに動体視力検査用視標２８ｃを発見認識することが出来、動体視力検査用視標２８ｃの提示から、被検者による当該提示された動体視力検査用視標２８ｃの発見までの時間を殆どゼロとすることが出来る。これにより、提示された動体視力検査用視標２８ｃの発見までに要する時間が、動体視力検査に際した反応時間として計測されてしまう事態は未然に防止される。
【００３４】
ステップＳ１４で１回目の検査であると判断された場合には、ステップＳ１１に戻って同じ処理を繰り返し、２回の検査を終了したと判断された場合には、ステップＳ１５で「予備検査は終了しました。本検査を行います。検査は５回正解するまで続けて行います。また３回間違えたときは中止します。」との音声（５）のガイダンスがなされる。
【００３５】
ここで、前述のステップＳ１０１からステップＳ１０３と同様に、ステップＳ１０５からステップＳ１０７で、測定前提示視標５１又は５１‘の提示動作を行い、本検査に際しても、予め動体視力検査用視標２８ｃが提示される位置に、測定前提示視標５１、５１’を提示して、被検者に対して動体視力検査用視標２８ｃが提示される位置を予め示しておく。これにより、なんら視線を動かすことなく直ちに動体視力検査用視標２８ｃを発見認識することが出来、動体視力検査用視標２８ｃの提示から、被検者による当該提示された動体視力検査用視標２８ｃの発見までの時間を殆どゼロとすることが出来る。即ち、本検査に際しても、提示された動体視力検査用視標２８ｃの発見までに要する時間が、動体視力検査に際した反応時間として計測されてしまう事態は未然に防止される。
【００３６】
次のステップＳ１６〜Ｓ１８は、ステップＳ１１〜Ｓ１３と同じ処理であり、ステップＳ１９で正解でないと判断された場合には、ステップＳ２０で３回の検査が終了するまで、同じ処理が行われ、一方ステップＳ１９で正解であると判断された場合には、ステップＳ２１で検査結果を表示器７に表示して、これを５回継続する。
【００３７】
正解でない場合が３回続いた場合、あるいは正解が５回続いた場合には、ステップＳ２３で「動体視力の検査は終了しました。」との音声（６）のガイダンスがなされ、ステップＳ２４で動体視力の平均値及び判定結果が表示器７に表示されあるいはプリンタ３７に出力され、処理を終了する。
【００３８】
なお、以上のオートモードの流れ図では、右眼、左眼あるいは両眼での検査は、省略されているが、眼の選択は、選択眼スイッチ２ａ〜２ｃを手動で選択してから図２のオートモードに入るようにしても、あるいは眼の選択も自動選択して、図５の流れに入るようにしてもよい。
【００３９】
また、手動で動体視力を検査する際には、検者は動体視力スイッチ５を押下する。このとき、図５に示すステップＳ１０５〜ステップＳ１０７及びステップＳ１６〜Ｓ１７と同じ動作が開始され、被検者はステップＳ１８と同じ処理を行う。
【００４０】
以上の処理を選択眼スイッチ２ａ〜２ｃを選択することにより、右眼、左眼あるいは両眼について行う。
【００４１】
なお、上記例では、被検者の応答はジョイスティック４０を用いて行われたが、応答スイッチ８を用いて行ってもよいことはもちろんである。
【００４２】
なお、上述の実施例は、測定前提示視標５１、５１‘を、回転自在に設けられたチャート板２８に、通常の動体視力検査用視標２８ｃと同様に配置した（空白の測定前提示視標５１’についても、空白の視標を配置したものと考える）場合について説明したが、測定前提示視標５１、５１‘としては、本来動体視力検査用視標２８ｃが提示される位置を前もって被検者に対して提示することが出来れば、どのような構成でもよい。
【００４３】
例えば、図２及び図４に示すように、チャート板２８の、被検眼２０，２０‘側の光路１５上に、チャート板２８に配置された視標２８ｃを被検眼２０，２０’に対して提示自在な提示穴１６ａが、光路１５上に穿設された穴明きカバー１６を配置し、当該穴明きカバー１６の提示穴１６ａを囲む形で複数の視標ＬＥＤ１６ｂを配置して、動体視力検査用視標２８ｃが提示される提示穴１６ａ（提示位置）を被検者に対してガイドするような構成としても良い。
【００４４】
この場合、動体視力の測定に際した制御フローは、図６に示すようになる。図５と異なる部分についてのみ説明する。即ち、図６のステップＳ１０において、「動体視力の予備検査を２回行います。視標が遠方より手前に近づいてきます。輪の切れた方向がわかったら、素早く手前のレバーを切れた方向に倒してください。」との音声（４）のガイダンスが音声発生部３８から出力される。
【００４５】
次に、ステップＳ１０９に入り、図４に示すように、ＣＰＵ３１により穴明きカバー１６の４個の視標ＬＥＤ１６ｂを点灯又は点滅させる。すると、被検者には、暗い視野内で点灯又は点滅する４個（複数）の視標ＬＥＤ１６ｂが目に入り、自然とその方向に視線を向けることとなる。被検者は、提示される視標ＬＥＤ１６ｂを注視することにより、その注意を視標ＬＥＤ１６ｂが提示された位置に向けることが出来る。
【００４６】
続いて、ステップＳ１１において視標モータ３２が駆動されて、チャート板２８の動体視力検査用の一つの視標２８ｃを光路に配置すると共に、ＣＰＵ３１はそれまで点灯していた視標ＬＥＤ１６ｂを消灯し、光源２９を点灯する。そしてステップＳ１２において、プリズムモータ３４が駆動され、プリズム２７が移動される。この移動速度は、例えば２０ｋｍ／ｈ〜６０ｋｍ／ｈのうち所定の速度に選択され、またプリズム２７の移動は、視標２８ｃの倍率が大きくなる方向に行われる。ステップＳ１３で、被検者は接眼部１を介してだんだん大きくなる視標の輪を観察し、輪の切れた方向が判った段階でジョイスティック４０のレバー４０ａを倒す。ＣＰＵ３１は、インターフェース３０を介して取り込まれるこの情報からそのときのプリズムの位置に基づき動体視力を演算する。
【００４７】
この際、被検者がそれまで注視し、視標ＬＥＤ１６ｂが点灯又は点滅していた位置に、本来の動体視力検査用の視標２８ｃが提示されるので、被検者はなんら視線を動かすことなく直ちに動体視力検査用視標２８ｃを発見認識することが出来、動体視力検査用視標２８ｃの提示から、被検者による当該提示された動体視力検査用視標２８ｃの発見までの時間を殆どゼロとすることが出来る。これにより、提示された動体視力検査用視標２８ｃの発見までに要する時間が、動体視力検査に際した反応時間として計測されてしまう事態は未然に防止される。
【００４８】
なお、本検査の際のステップＳ１１１は、ステップＳ１０９と同様なので、説明を省略する。
【産業上の利用可能性】
【００４９】
本発明は、動体視力を測定検査する動体視力検査装置として利用することが出来る。
【図面の簡単な説明】
【００５０】
【図１】図１は、動体視力検査装置の一例を示す図で、（Ａ）は正面図、（Ｂ）は側面図。
【図２】図２は、図１の動体視力検査装置の制御ブロック図。
【図３】図３は、チャート板の一例を示す図。
【図４】図４は、チャート板と穴明きカバーの一例を示す図。
【図５】図５は、動体視力測定に際した制御例を示すフローチャート。
【図６】図６は、動体視力測定に際した制御の別の例を示すフローチャート。
【符号の説明】
【００５１】
１５……光路
１６ａ……提示穴
１６ｂ……視標ＬＥＤ
２７……プリズム
２８……チャート板
２８ｃ……動体視力検査用視標
２９……光源
３１……ＣＰＵ
３２、３４……モータ
５０……動体視力検査装置
５１，５１‘……測定前提示視標
【図１】
0004754895.tif 000002
【図２】
0004754895.tif 000003
【図３】
0004754895.tif 000004
【図４】
0004754895.tif 000005
【図５】
0004754895.tif 000006
【図６】
0004754895.tif 000007